(57)【要約】  第１の光パルスを受けたサンプルの反応を測定するための光パルスの管理装置であって、前記測定は、前記第１のパルスに対して所定の時間間隔だけシフトした第２の光パルスを受けたサンプルにより発生したシグナルを分析することにより実行され、二つのパルスレーザ光源（１、３）からそれぞれ発生した二つの光ビームのパルスの検出のための二つの光検出器（２１、２３）であって、前記各ビームは、相異なった、任意の、かつ、所定の期間安定した、各繰り返し周波数を有し、前記サンプルの方向に向かうパルスを発生する、光検出器と、前記第１ビーム及び前記第２ビームそれぞれから生じ、第１パルス及び第２のパルスを構成する二つのパルスの間の時間間隔を決定するための、前記光検出器が接続されたコンピュータ（２５）とを含み、前記コンピュータは、前記サンプルの反応を測定するための分析器（１５）に接続され、入力パラメータとして、前記二つのパルス間の時間間隔を有し、さらに、前記コンピュータ（２５）は、前記時間間隔を決定するために前記繰り返し周波数の安定性を利用したアルゴリズムを用いることを特徴とする装置。【選択図】図１
2014518387.tif 000002
【特許請求の範囲】
【請求項１】
「ポンプ」パルスと呼ばれる第１の光パルスを受けたサンプルの反応を測定するための、光パルスの管理装置であって、
前記測定は、「プローブ」パルスと呼ばれ、前記「ポンプ」パルスに対して所定の時間間隔だけシフトした、第２の光パルスを受けたサンプルにより発生したシグナルを、分析することにより実行され、
二つのパルスレーザ光源（１、３）からそれぞれ発生し、「ポンプ」ビームと呼ばれる第１ビーム及び「プローブ」ビームと呼ばれる第２ビームの二つの光ビームのパルスの検出に適した、二つの光検出器（２１、２３）であって、前記各ビームは、相異なった、任意の、かつ、所定の期間安定した、各繰り返し周波数を有し、前記サンプルの方向に向かうパルスを発生する、光検出器と、
前記第１ビーム及び前記第２ビームそれぞれから生じ、前記サンプルの反応を測定するための「ポンプ」パルス及び「プローブ」パルスを構成する、二つのパルスの間の前記時間間隔を決定するのに適し、前記光検出器が接続されたコンピュータ（２５）とを含み、
前記コンピュータは、前記サンプルの反応を測定するための分析器（１５）に接続するコネクタを備え、入力パラメータとして、前記二つのパルスを含む測定のための前記コンピュータにより決定された前記時間間隔を有し、
前記コンピュータは、前記時間間隔を決定するために前記繰り返し周波数の安定性を利用したアルゴリズムを用いることを特徴とする装置。
【請求項２】
前記二つのビームの各々に位置する二つのパルス選択器をさらに備え、
前記各選択器は、サンプルに向けて、サンプルが置かれた前記ビームの特定のパルスを送信するのに適し、
前記送信されたパルスは、前記第１ビームの選択されたパルス及び前記第２ビームの選択されたパルスの間の前記時間間隔が所定の値になるように、前記コンピュータにより選択されることを特徴とする請求項１に記載の装置。
【請求項３】
前記パルス選択器は光増幅器であることを特徴とする請求項２に記載の装置。
【請求項４】
前記コンピュータは、前記第１ビームのパルスと前記第２ビームのパルスの間の時間的な一致を検出し、内挿又は外挿により、二つのパルス間の前記時間間隔の発展の法則を決定するために、二つの同時発生の間に各ビームにより生成されたパルスの数をカウントするのに適していることを特徴とする請求項１〜３のいずれか一項に記載の装置。
【請求項５】
前記コンピュータは、一連のパルス対の前記時間間隔の全てが所定の測定間隔のサンプリングを可能とするように、各対が前記第１ビームのパルスと前記第２ビームのパルスからなる一連のパルス対を選択するのに適していることを特徴とする請求項１〜４のいずれか一項に記載の装置。
【請求項６】
前記光検出器は干渉計の形で接続され、二つのパルスの時間的重ね合わせが前記コンピュータに対して一致シグナルをトリガーするように、前記干渉計の干渉シグナルは少なくとも一つのフォトダイオードにより検出されることを特徴とする請求項１〜５のいずれか一項に記載の装置。
【請求項７】
前記光検出器はそれぞれ、各パルスを、電子的「時間―デジタル変換器」（ＴＤＣ）回路に対する入力信号として機能する電気信号に変換するのに適した、一つのフォトダイオードを備えることを特徴とする請求項１、２、３又は５のいずれか一項に記載の装置。
【発明の詳細な説明】
【技術分野】
【０００１】
本発明は、「ポンプ」パルスと呼ばれる第１の光パルスにさらされたサンプルの反応性を測定するための光パルスの管理装置であって、「プローブ」パルスと呼ばれ、「ポンプ」パルスに対して所定の時間間隔だけシフトした第２の光パルスを受けたサンプルから放射された光シグナルを分析することにより測定が行われるもの、に関する。
【背景技術】
【０００２】
本発明から利益を受ける分野は、ポンプ・プローブ分光法の分野、及び、一般的には、測定対象の合計時間間隔のスキャンを可能とするため、既知かつ可変の時間遅延により区別された二つの超短レーザパルスの使用を必要とするあらゆる応用分野である。
【０００３】
近年、生物学的システムのダイナミクスが盛んに研究の対象とされてきている。このような動態は、特定の場合、ピコ秒から秒に亘る時間オーダーにまたがった連続的な発展を示すことがあるということが、特に示されている。
【０００４】
ポンプ・プローブ分光法は、反応中のシステムの時間的ダイナミクスを測定することを可能とする技術である。すなわち、ポンプパルスが反応を誘起し、その後、時間シフトしたプローブパルスが発生した変化を測定する。そして、一つのレーザパルスを、測定すべき全時間範囲にわたり別のレーザパルスに対してシフトできるようにすることが必要である。当該シフトは、最も近いピコ秒の精度が必要とされる。
【０００５】
現在、既知で可変の遅延により分離された２つのパルスを発生させる方法としては、３つの手段が存在する。
【０００６】
第１の手段は、２つの分岐光に分けられる単一のレーザのシステムを用いるものである。それら分岐光のうちの一つが、機械的な遅延ラインを用いることにより、他の分岐光に対して遅延する。当該システムは、遅延ラインの長さによって、ピコ秒からナノ秒の範囲に限定される。さらに、機械式スキャン中に適切な指向精度を維持するには、特に注意が必要とされる。
【０００７】
第２の手段は、二つの非同期レーザ発振器を用いるものである。遅延時間は、増幅器において所望の遅延時間と最も近い遅延時間を有するパルス対を選ぶことにより、選択される。この選択は通常、所望のパルスの周囲においてポッケルスセルが開閉することにより行われる。二つのレーザ発振器の間の非同時性、及び、結果として発生する時間上のジッターにより、そのようにして選択される二つのパルス間の真の遅延時間が測定される。その精度は、レーザキャビティの発振周期、すなわち、典型的には１０数ナノ秒のオーダーを下回ることはない。その代わり、このシステムは、任意の長さの遅延の発生を可能にする。
【０００８】
第３の手段は、二つの同期レーザ発振器を用いるものである。遅延時間は、それらの相対的な時間フェーズを変化させることにより、調整される。第２の手段の解説に記載したような増幅前の選択に関連して、このシステムは、ピコ秒のオーダーの精度を維持しながら長い遅延時間を発生させることにより、前述の手段の制限を克服している。しかしながら、当該手段は、製造者がレーザのデザインの段階からこの機能を準備していない限り、標準的な商用のレーザ発振器によってアポステリオリに実行することのできない、高価で複雑な実装を必要とする。それゆえ、当該システムはほとんどの潜在的ユーザーにとって利用しやすいものではない。同様に、フェムト秒の領域に応用されるストロボスコピーの原理を利用することにより、異なった周波数のレーザ発振器を使用することが可能である。二つのパルス列の間の時間的一致は光電子工学装置により測定される。しかしながら、提案する実装方法においてうまく機能するためには、当該方法は二つの発振器の周波数が近接し、かつ、極めて高い精度により測定されることが要求される。このため、レーザキャビティの長さを鋭意コントロールすることが必要である。これは一般には、システムが取得される前にこれが計画されていない場合にはあてはまらない。
【０００９】
これらの種々の手段が様々な公報において説明されている。それら公報の中で最も重要なものには下記のものがある。
【００１０】
２００４年発行のBredenbeck, Helbing and Hamm., Rev. Sci. Instrum. Vol.７５ p.４４６２は、チューリッヒのthe Institut de Chimie-Physiqueによって提案された、同位相の電子スキャンニング法について説明している。長い遅延は、ポッケルスセルによる増幅すべきパルスの選別を通じて、発振器の繰り返し周期の倍数によって与えられる。短い遅延は、二つのレーザ発振器の間の既知の位相を導入することによって生成される。この方法により、最大５０μｓまでの範囲に亘る２ｐｓの精度を得ることが可能となる。
【００１１】
１９９９年、Takagi とAdachi（RSI Vol.７０, p.２２１８）は、非同期性の光学スキャンニングを紹介している。このスキャンニングは、二つの発振器の既知の繰り返し率の差異を導入することにより得られる。導入された差異が二つの発振器の繰り返し周波数ｆ１及びｆ２に対して無視できるものである場合には、時間軸ｆ１／ｆ２に対する倍率を生み、結果としてスペクトル分解能の増加をもたらすことが示されている。Takagiの研究において、７６００００倍の時間的倍率が測定された。
【００１２】
２００４年には（Keimann, Goble and Holzwarth, 「Time domain mid-infrared frequency-comb spectrometer」, Opt. Lett.２９, p.１５４２（２００４））、この利点は改善され、最終的に４５５０００００倍の時間倍率が得られた。これは、１３ｃｍ−１のスペクトル分解能に相当する。これらの研究は、パルススペクトルの離散的性質に着目して、フェムト秒レーザにより行われた。これにより、二つのシフトパルスのスペクトルを形成する各周波数ラインの間のビートの現象を利用する、「周波数コム分光法」への道が開けた。従来のフーリエ変換分光法を利用した実験に対する利点は、数十マイクロ秒の測定時間で得られる、測定の感度、スペクトル幅、及び、スペクトル分解能にある。
【００１３】
光電子工学の同期方法はまた、特許出願ＷＯ／２００７／０４５７７３において提案されているが、得られる時間分解能は、二つの発振器の周波数が隣接している場合にのみ、有用である。
【発明の概要】
【発明が解決しようとする課題】
【００１４】
それゆえ、標準的なフェムト秒レーザを使用しつつ、ピコ秒の精度でピコ秒から秒の間を変化し得る二つのパルス間の遅延を取得可能とするレーザパルスの管理装置を得ることには利点があるであろう。
【課題を解決するための手段】
【００１５】
上記欠点を一つ以上解決するために、「ポンプ」パルスと呼ばれる第１の光パルスを受けたサンプルの反応を測定するための光パルスの管理装置においては、前記測定は、「プローブ」パルスと呼ばれ、前記「ポンプ」パルスに対して所定の時間間隔だけシフトした第２の光パルスを受けたサンプルにより発生した光シグナルを分析することにより実行され、二つのパルスレーザ光源からそれぞれ発生し、「ポンプ」ビームと呼ばれる第１ビーム及び「プローブ」ビームと呼ばれる第２ビームの二つの光ビームのパルスの特定に適した二つの光検出器であって、前記各ビームは、相異なった、任意の、かつ、所定の期間安定した、各繰り返し周波数を有し、前記サンプルの方向に向かうパルスを発生する、光検出器と、前記コンピュータは、前記第１ビーム及び第２ビームそれぞれから生じ、前記サンプルの反応を測定するための「ポンプ」パルス及び「プローブ」パルスを構成する、二つのパルスの間の時間間隔を決定するのに適し、前記光検出器が接続されたコンピュータとが含まれ、前記コンピュータは、前記サンプルの反応を測定するための分析器に接続するコネクタを備え、入力パラメータとして、前記二つのパルスを含む測定のための第１のコンピュータにより決定された時間間隔を有する。
【００１６】
さらには、前記コンピュータは時間間隔を決定するために繰り返し周波数の安定性を利用したアルゴリズムを用いる。
【００１７】
この装置はこのように、二つの発振器について、光学キャビティ―に関するコントロールやフィードバックシステムを必要とせずに自由に操作できることを有利に前提条件とすることができる。さらに、時間的精度は、二つの発振器の間の周波数の差に直接は比例せず、したがって、標準的なレーザで使用される典型的な周波数である１ピコ秒を簡単に下回り得る。このように、ほとんどの時間、発振器ビームのごく一部を装置に送信することのみによって、二つの事前に備えられた増幅レーザシステムを使用する実験に当該装置を実装することが簡単にできる。
【００１８】
特定の機能又は実施例には、単独で使用される場合も組み合わせて使用される場合もあるが、下記のものが含まれる。
【００１９】
この装置はさらに、前記二つのビームの各々に位置する二つのパルス選択器からなる。各選択器は、サンプルに向けて、サンプルが置かれたビームの特定のパルスを送信するのに適している。送信されたパルスは、第１ビームの選択されたパルス及び第２ビームの選択されたパルスの間の時間間隔が所定の値になるように、コンピュータにより選択される。
【００２０】
パルス選択器は光増幅器となっている。
【００２１】
コンピュータは、第１ビームのパルスと第２ビームのパルスの間の時間的な一致を検出し、内挿又は外挿によって、二つのパルス間の時間間隔の発展の法則を決定するために、二つの同時発生の間に各ビームにより生成されたパルスの数をカウントするのに適している。
【００２２】
コンピュータは、一連のパルス対の時間間隔の全てが所定の測定間隔のサンプリングを可能とするように、各パルス対が第１ビームのパルスと第２ビームのパルスからなる一連のパルス対を選択するのに適している。
【００２３】
光検出器は、干渉計の形で結合されている。その干渉シグナルは、二つのパルスの時間的重ね合わせがコンピュータに対して一致シグナルをトリガーするように、少なくとも一つのフォトダイオードにより特定される。
【００２４】
各光検出器は、各パルスを、電気的「時間―デジタル変換機」（ＴＤＣ）回路に対する入力信号として機能する電気信号へと変換するのに適した、一つのフォトダイオードを備えている。
【００２５】
本発明は、下記の説明を読むことでよりよく理解されるであろう。下記の説明は、単に例を示したものであり、また、添付の図に準拠している。
【図面の簡単な説明】
【００２６】
【図１】本願発明の第１実施例による装置を有するポンプ・プローブ分光法システムの模式図である。
【図２】非同期性スキャンニングに従い、異なる繰り返し周波数を有し、また、同時発生を示している、二つのレーザのパルスのタイミングダイアグラムである。
【図３】図１に示された装置の取得カードの電子的なアセンブリの模式図である。
【図４Ａ】二つのレーザが一致しないときの一致シグナルを示した、図３に示された電子装置のタイミングダイアグラムである。
【図４Ｂ】二つのレーザが一致するときの一致シグナルを示した、図３に示された電子装置のタイミングダイアグラムである。
【図５】図１に示された装置の動作を示したフローチャートである。図５は、図１に示された装置の動作を示したフローチャートである。
【図６】本発明の第２の実施例に基づく装置を備えたポンプ―プローブ分光法システムの模式図である。
【発明を実施するための形態】
【００２７】
図１によると、ヘテロダイン式サンプリングの原理に従って作動する装置は、慣習的には、それぞれ「ポンプ」ビーム及び「プローブ」ビームを発生させる「ポンプ」パルスレーザ光源１及び「プローブ」パルスレーザ光源３からなる。この二つのレーザ光源は、典型的にはフェムト秒レーザであり、従って、１００数フェムト秒のオーダーのパルスを発生させる。「ポンプ」パルスと「プローブ」パルスの持続期間は等しい場合もあれば等しくない場合もある。同様に、「ポンプ」ビームと「プローブ」ビームの中心波長は、実行される測定によって、等しい場合もあれば等しくない場合もある。
【００２８】
各ビームは光増幅器５、７を通過した後、結合器９により結合される。例えば、結合器９は鏡及び半透鏡のプレートからなる。
【００２９】
このようにして結合されたビームはその後、測定対象のサンプルが置かれた実験装置１１の方向へ向けられる。
【００３０】
サンプルの反応は、光検出器１３により検出された後、取得システム１５へ送信される。
【００３１】
図１のパルス光管理装置の実施例においては、サンプルスライド１７、１９が各レーザ光源１、３の出力位置において各ビームの経路上に設置され、各パルスの出力が光検出器２１、２３において検出されるようになっている。当業者は、スライドの透過性は、その作動に必要なパワーのみが光検出器２１、２３に送信されるように選択されることを理解するであろう。
【００３２】
光検出器２１、２３はコンピュータ２５に接続されている。
【００３３】
コンピュータ２５は、光増幅器５、７のコントロールインターフェースを備え、取得システム１５に接続されている。
【００３４】
装置は下記のように作動する。
【００３５】
一般的には、自由に操作できるよう設計された二つの発振器が、相異なる高度に安定的な周波数の櫛形パルス３１、３３を二つ発生させる。二つの櫛形パルス間の相対的な遅延、すなわち、相対的な時間位相が、一致が発生する瞬間と次の一致が発生する瞬間の間を、非同期生のスキャンニングの原理に従い、徐々に進行していく（図２）。
【００３６】
Ω1及びΩ2をレーザの各周波数とすると、各レーザの時間位相をΦ1＝Ω1（ｔ-τ1）及びΦ2＝Ω2（ｔ-τ2）と定義することができる（τ1及びτ2は二つのパルス列の時間シフトを定義し、ｔは時間座標である。）。これらの法則は既知であるため、相対位相ΔΦ＝Φ2−Φ1を正確に予測することが可能であり、それゆえ、二つの発振器により発生した全パルスの間の遅延を正確に予測することが可能となる。
【００３７】
二つの発振器の位相の法則を測定するために、コンピュータは同時に発生するパルスを検出し、一方で、同時発生の間にある、二つのレーザそれぞれによって生成されたパルスの数を、正確にカウントする。したがって、この二つのパルス間の時間間隔に関する発展の法則は、内挿または外挿によって決定される。これにより、とりわけ非常に高い精度で、Ω2／Ω1を決定することが可能となる。
【００３８】
実際、Δｔを発振器が完全に安定的であるとみなすことのできる時間間隔だとすると、それはすなわち、測定可能なジッター現象がないということである。現在の発振器では、Δｔは、典型的には１ミリ秒のオーダーである。Ｔはパルス列の周期であり、１００メガＨｚ発振器では約１０ナノ秒に等しく、また、δτは同時発生の測定の時間的精度である。
【００３９】
期間Δｔに生成されたパルスの数は、Ｎ＝Δｔ／Ｔの値を持つ。当該値はそれゆえ、およそｎ＝Ｎδτ／Ｔのオーダーで同時発生の数と一致する。したがって、発振器の安定性を考慮に入れると、パラメータτ1及びτ2の測定の精度はδτ／√ｎのオーダーとなる。したがって、装置の究極的な精度は、同時発生を特定するのに使用される方法に関係づけられる。
【００４０】
図３の実施例においては、同時発生の特定は完全に電子的である。
【００４１】
光検出器２１、２３は高速フォトダイオードであり、その電気シグナルはコンピュータ２５の電子カードに送られる。
【００４２】
電気シグナルは二つのＤ型フリップフロップ４１、４３に送られる。シグナルのうち一つは共通のクロックとして使用される。他のシグナルは、第１のフリップフロップの入力、そして若干の遅れを伴って第２のフリップフロップの入力へと、連続して分配される。τ’は第１の遅延ライン４５であり、τ”は第２の遅延ライン４７である。新しいクロックパルス毎に、フリップフロップの出力の違いによって同時発生が示される。
【００４３】
図４Ａ及び図４Ｂは、遅延ライン４５、４７の出力におけるシグナル５１、５３、及び、光検出器の出力において、二つのＤ型フリップフロップ４１、４３に対するクロックとして機能する、シグナル５５のタイミングダイアグラムを示している。シグナル５７は、Ｄ型フリップフロップの二つの出力を組み合わせた排他的論理和の出力におけるシグナルを示している。図４Ａは、二つのレーザが同時でないときのシグナルを示しており、シグナル５７はそれゆえ０に留まっている。図４Ｂは同時発生が起きるときのシグナルを示しており、シグナル５７は０から１へと反転している。
【００４４】
発明者らは、本件概要をもとに、δτ≒３０ｐｓのオーダーの精度を与える試作品を製作した。二つのＳｉ ＰＩＮフォトダイオードに取り付けられた二つの光学ファイバーが、差動対によって、同時発生検出器、及び、製造業者Ｘｉｌｉｎｘ社製のＳｐａｒｔａｎファミリーのＦＰＧＡに組み込まれたコンピュータに、連結されている。上記の数値によると、１ミリ秒当たり３００回の比率で同時発生が起きる。この比率に対して十分に安定的なレーザ周波数により、これらの同時発生が平均化され、わずかに２ピコ秒を下回る最終的な精度が得られる。この値は、特別な回路（ＡＳＩＣ）を用いたり、または、相異なる既知の遅延をともなった電子経路の数を減らすことで同時発生の比率を増加させることによって、向上させることができる。
【００４５】
別の形式として、時間―デジタル変換器タイプの既知の装置を使用することもまた可能である点が注目される。
【００４６】
これにより、同時発生がない場合でもパルス対を利用することが可能となる。そのため、測定に寄与する取得の値ｎを増加させることが可能となる。このようにして、後者の精度を向上させることが可能となる。
【００４７】
このように、図５では、ステップ５１において二つの発振器の位相の法則が正確に測定され、コンピュータはステップ５３において、「ポンプ」シグナルの任意のパルス及びそれに続く「プローブ」シグナルの任意のパルス間の時間シフトの値を決定することが可能となる。そしてそれゆえ、所定のシフト値に関しては、ステップ５５において、当該時間シフトの値を有する「ポンプ」―「プローブ」パルスのペアを選択することが可能となる。
【００４８】
コンピュータ２５は、ステップ５７において、増幅器５、７をコントロールし、一致したパルスのみを通過させ、そして増幅する。並行して、ステップ５９において、取得システム１５に「ポンプ」パルス及び「プローブ」パルスの間の時間を知らせる。
【００４９】
導入部において示されているように、「ポンプ」―「プローブ」分光法における目的は、サンプルのダイナミクスを調べるために、サンプルの反応を、「プローブ」パルスから「ポンプ」パルスを分離する様々な時間範囲に亘って測定することである。
【００５０】
説明された装置のおかげで、測定対象の時間範囲を例えば１ナノ秒から１ミリ秒などに、サンプル数を例えば１ピコ秒の１ステップなどに、予備的にパラメータ化することで充分である。そして、コンピュータは要求された範囲をカバーする一連のパルスを選択することが可能となる。測定は任意のオーダーにおいて可能であり、測定時間を最小化するように一連のパルスにのみ依存することが注目されよう。したがって、コンピュータ２５は取得システム１５に接続され、後者に、進行中の測定に一致するパルス間の時間に関する情報を提供するようになっている。そして、持続時間に亘る簡易なソーティング過程によって、測定を順序づけることが可能となる。別の有用な形式においては、検出器５、７は使用されず、このことによって二つの発振器１及び３により発生した全てのパルス対を利用することが可能となる。遅延はコンピュータによりアポステリオリに決定される。この場合、時間的なダイナミクスは、発振器の周期、典型的には１０ｎｓのオーダーに限定される。
【００５１】
図６の第２の実施例においては、光検出器２１、２３及び電子取得カードは光学的装置により置き換えられる。
【００５２】
後者は、二つのレーザ光が平行となった干渉計６１、場合によってファイバー干渉計からなる。二つのパルスの時間的重ね合わせに対応した一致が、発生した光学的な線形の干渉により、検出される。干渉シグナルは、フォトダイオード６３により検出され、これと閾値との比較を行うコンピュータ２５における取得カードに送信される。別の形式においては、干渉計の二つの出力の各々にフォトダイオードを使用して、差分を特定することが可能である。
【００５３】
説明したように、一致を光学的に検出することにより、パルスの持続時間のオーダー、すなわち典型的には１００ｆｓ、の精度δτが得られる。上記の数値では、およそ１ミリ秒当たり１回程度の一致の比率ｎ／Δｔを与える。光検出器の前にスペクトル幅を減少させるフィルターを配置することにより、時間的な精度を犠牲にして、一致の比率を増加させることが可能である。このようなフィルターは、二つの発振器のスペクトルが同一でないときにもまた、必要となる。最後に、二つの発振器の間のスペクトルの重なりがない場合には、非線形光学のプロセス（二光子吸収、和周波数、等）を使用して、一致を特定することができる。
【００５４】
本発明は、図面及び前述の説明において詳細に図示し、説明されている。後者は例証及び例示により与えられたものとして考慮されるべきものであり、この説明にのみ本発明を限定するものではない。多くの変形した実施形態が可能である。
【００５５】
特許請求の範囲において、「備える」又は「有する」の語は、他の要素を除外するものではなく、不定冠詞「一つの」は複数を除外するものではない。
【図１】
2014518387.tif 000003
【図２】
2014518387.tif 000004
【図３】
2014518387.tif 000005
【図４ａ】
2014518387.tif 000006
【図４ｂ】
2014518387.tif 000007
【図５】
2014518387.tif 000008
【図６】
2014518387.tif 000009
【国際調査報告】
2014518387.tif 000010
2014518387.tif 000011
2014518387.tif 000012
2014518387.tif 000013
2014518387.tif 000014
2014518387.tif 000015